(57)【要約】【課題】シリーズ物であるかどうかを正確に判断し、シリーズ物の場合における処理を効率化する。【解決手段】ステップＳ１において録画指示（予約指示又はその場録画の指示）が行われる。ステップＳ２において、録画指示時間を取得する。ステップＳ２において取得した録画指示時間に基づいて、同じ時刻の連続日予約、同じ時刻の１週おきの予約番組に対して関連付けフラグを付与する。次いで、ステップＳ４において番組合成指示があると（Ｙｅｓ）、ステップＳ５において番組合成用画面（ＧＵＩ）表示を行う。ステップＳ６において、表示された画面から合成すべき番組を選択する。ステップＳ７において、上記フラグに基づいて、合成処理を行う。【選択図】図６
2007312174.tif 000002
【特許請求の範囲】
【請求項１】
放送番組の視聴操作又は視聴予約操作に基づいて、放送番組の放送日時と放送チャネルとを取得する視聴状況管理部と、
前記放送チャネルが同じであって前記放送日時に規則性のある複数の番組を抽出し関連付けして記憶する関連番組記憶部と、
前記関連付けに基づいて、関連する番組の内容を日時順に合成する合成部と
を有することを特徴とする記録再生装置。
【請求項２】
前記合成部において、連続する番組を重複部分の一方を削除して合成することを特徴とする請求項１に記載の記録再生装置。
【請求項３】
前記重複部分を音声により判定する音声判定部を有し、前記合成部は前記音声判定部の判定に基づいて番組を合成することを特徴とする請求項２に記載の記録再生装置。
【請求項４】
番組再生時において、前記関連付けに基づいて次に再生するべき番組を抽出し、該抽出した番組を再生終了時に続きとして再生することを特徴とする請求項１に記載の記録再生装置。
【請求項５】
記録再生装置における記録再生方法であって、
録画指示を受け付けるステップと、
録画指示時間を取得するステップと、
取得した録画指示時間に基づいて、同じチャネルであって日時に規則性のある番組に対して関連付けフラグを付与するステップと、
前記関連付けフラグに基づいて、日時順に番組の内容を合成する処理を行うステップと
を有することを特徴とする記録再生方法。
【発明の詳細な説明】
【技術分野】
【０００１】
本発明は、放送番組の記録再生技術に関し、新しい録画設定技術に関する。
【背景技術】
【０００２】
近年、ハードディスクなどの高密度の記憶装置を内蔵した記録再生装置が主流になってきている。ハードディスクなどに録画した放送番組を再生する場合には、録画された番組の一覧からユーザが選んだものを再生する。この際、電子番組表を利用し電子番組表から得たジャンルやタイトルなどの情報をもとに絞込みを行なったり、予め、特定フォルダへ分別しておいたりすることにより選択時の利便性を高めている。
【特許文献１】特開２００５−１５９５７９号公報
【発明の開示】
【発明が解決しようとする課題】
【０００３】
ところで、録画した番組には、映画など１番組で完結する番組の他に、何番組分かで一つの話が完結する連続ドラマのようないわゆるシリーズ物も多い。例えば、録画した連続ドラマを何話分かまとめて見る場合に、１話分を見終えるたびに録画番組一覧から続きの番組を探して再生する方法では手間がかかるという問題がある。
【０００４】
また、電子番組表の情報をもとに選択する場合に、その情報が間違っていたために目的の番組を見つけられないなどの不便が発生する場合もある。
【０００５】
本発明は、シリーズ物であるかどうかを正確に判断し、シリーズ物の場合における処理を効率的にすることを目的とする。
【課題を解決するための手段】
【０００６】
毎日録画や毎週録画などを設定された番組はシリーズ物と判断し、録画時に互いに関連付ける情報を保持しておく。再生時には、再生中の番組と関連付けられた録画番組が他にある場合、録画日時などから次に再生するべき番組を判断し、再生終了時に自動もしくは簡単な操作で続きを再生できるようにする。
【０００７】
すなわち、本発明の一観点によれば、放送番組の視聴操作又は視聴予約操作に基づいて、放送番組の放送日時と放送チャネルとを取得する視聴状況管理部と、前記放送チャネルが同じであって前記放送日時に規則性のある複数の番組を抽出し関連付けして記憶する関連番組記憶部と、前記関連付けに基づいて、関連する番組の内容を日時順に合成する合成部と、を有することを特徴とする記録再生装置が提供される。前記合成部において、連続する番組の重複部分の一方を削除して合成することができる。この際、前記重複部分を音声により判定する音声判定部を有し、前記合成部は前記音声判定部の判定に基づいて番組を合成することができる。番組再生時において、前記関連付けに基づいて次に再生するべき番組を抽出し、該抽出した番組を再生終了時に続きとして再生することも可能である。
【０００８】
本発明の他の観点によれば、記録再生装置における記録再生方法であって、録画指示を受け付けるステップと、録画指示時間を取得するステップと、取得した録画指示時間に基づいて、同じチャネルであって日時に規則性のある番組に対して関連付けフラグを付与するステップと、前記関連付けフラグに基づいて、日時順に番組の内容を合成する処理を行なうステップと、を有することを特徴とする記録再生方法が提供される。この方法をコンピュータに実行させるプログラムであっても良い。
【発明の効果】
【０００９】
本発明によれば、録画番組数が多くなったとき、再生時に目的の番組を一覧から探し出す手間を減らし、利便性を高めることが可能である。また、番組と番組の再生間隔を極力短く出来るので、臨場感を損なうことなく集中して視聴することが可能である。さらに、電子番組表の情報を使用しなくても簡単に続きの番組を再生可能である。
【発明を実施するための最良の形態】
【００１０】
以下、本発明の一実施の形態による記録再生装置について図面を参照しながら説明を行なう。図１は、本実施の形態による記録再生装置の一構成例を示す機能ブロック図である。図１に示すように、本実施の形態による記録再生装置Ａは、放送局やネットワークからコンテンツを受信するテレビ受信機１００とのインターフェイス部１０１と、番組情報を格納する番組情報ＤＢ１０２と、番組情報を検索する番組情報検索部１０３と、グラフィックユーザインターフェイスを生成するＧＵＩ生成部１０４と、視聴番組を検出する視聴番組検出部１０５と、番組を保存する番組保存領域１０６と、未視聴番組を提供する未視聴番組提供部１０７と、放送番組の視聴操作又は視聴予約操作に基づいて、放送番組の放送日時と放送チャネルとを取得する視聴状況管理部１０８と、放送チャネルが同じであって前記放送日時に規則性のある複数の番組を抽出し関連付けして記憶する関連番組記憶部１０９と、関連付けに基づいて、関連する番組の内容を日時順に合成する合成部１１２と、タイマ１１０と、入力部（操作部）１１１と、合成した番組をモニタ１１４に出力する出力部１１３と、を有している。関連番組記憶部１０９は、番組の識別子のみを記憶し、実際の番組の内容は、番組保存領域１０６に記憶させることもできる。
【００１１】
図２は、本実施の形態による記録再生装置に録画予約された番組に関する情報であって、関連番組記憶部１０９に格納される情報例を示す予約情報テーブルである。録画予約された番組中には、既に視聴済みの番組も含まれていて良い。
【００１２】
図２に示すように、予約情報テーブルには、予約番組に関してユーザが予約操作又は視聴設定操作を行った日時又は放送日時情報に含まれる日時と、チャネル名と、番組名と、関連付け情報（フラグ）と、が、例えば、予約番組の放送日時情報の日時の順に記憶されている。ここで、視聴状況管理部１０８は、予約録画設定又は視聴設定の日時が、毎日同じ時刻同じチャネルの予約録画の場合又は毎週同じ時刻同じチャネルの予約録画の場合には、同じシリーズの番組と判断することができる。そして、録画した番組の管理情報内に関連を示すフラグを書き込んでおく。図２では、１月１５日１２時から１２時５５分まで３ＣＨの予約の後に、１週間後の１月２２日の同じ時刻、同じチャネルの予約が入っている。１月２９日も同様である。このような場合に、２０１−１、２０１−２、２０１−３のように、順番がわかるようにして番組を関連付けする情報（フラグ）を記憶しておく。そして、再生時には、一つの番組を再生した後に関連付けする情報（フラグ）を元に、同じシリーズと見なせる番組を順番に再生するように制御する。
【００１３】
特に、ユーザが予約操作又は視聴設定操作を行った日時に関しては、ＥＰＧなどの情報を加味しなくても日時に規則的な関連性のある番組であることが判断できるとうい利点がある。
【００１４】
図６は、上記の処理の流れを整理して示すフローチャート図である。図６に示すように、まず、ステップＳ１において録画指示（予約指示又はその場録画の指示）が行われる。ステップＳ２において、録画指示時間を取得する。ステップＳ２において取得した録画指示時間に基づいて、同じ時刻の連続日予約、同じ時刻の１週おきの予約番組に対して関連付けフラグを付与する。次いで、ステップＳ４において番組合成指示があると（Ｙｅｓ）、ステップＳ５において番組合成用画面（ＧＵＩ）表示を行う。ステップＳ６において、表示された画面から合成すべき番組を選択する。ステップＳ７において、上記フラグに基づいて、合成処理を行う。
【００１５】
図３は、第１の合成処理の原理を示す図である。図３に示すように、図２に示す関連付け情報に基づいて、２０１−１と２０１−２と２０１−３とを合成する場合を考える。図３においては、枝番の１、２、３の順に直列に番組をつなげるように合成している。これにより、一連の続き物の番組をあたかも１つの番組であるかのように合成することができる。尚、図１に示すタイマにより、つなぎ目までの時間を計測し、これを記憶しておけば、一旦合成した番組を分離することも容易である。
【００１６】
図４は、第２の合成処理の原理を示す図である。連続物の番組の場合には、前の番組の終わりの部分と、次の番組の最初の部分とが重複しているのが一般的である。そこで、この重複部分２０１−１ａと２０１−２ａ、２０１−２ｂと２０１−３ａとのうちいずれか一方を合成時に削除し番組をつなげることもできる。このようにすれば、重複に基づく違和感を軽減することができるという利点がある。
【００１７】
図５は、図４の重複部分の削除に関する詳細を示す図である。図５（Ａ）に示すように、実際の録画番組は、映像１と音声１、映像２と音声２、映像３と音声３というように、映像と音声が時間的に重なった形で構成されている。ここで、重複部分を推測する場合に、映像における重複よりも音声による重複の方が、処理の負荷が小さいという点でも簡単である。そこで、図１の音声判定部１１２ａにおいて、図５（Ｂ）に示すように、音声（１）の終わりの１２１ｂ領域、音声２の前後の１２３ａ領域、１２３ｃ領域、音声３の始まりの１２５ａ領域について音声により同じ部分を抽出し、図５（Ｃ）に示すように、１２３ａと１２５ａを残す。これに対応するように、映像も映像１’、映像２’映像３’を残し、重複部分の処理を行う。このようにすると、簡単に１つの連続した番組として合成することができる。
【００１８】
また、関連付け情報を利用することで、再生中の番組を既に視聴していた場合など、最後まで視聴しなくてもスキップボタンを押すなど、ユーザの簡単な操作で、関連付けられた次の番組を探し出して再生する仕組みを提供することも可能である。
【００１９】
以上に説明したように、再生時に目的の番組を一覧から探し出す手間を減らし、利便性を高めることが可能である。また、番組と番組の再生間隔を極力短く出来るため、臨場感を損なうことなく集中して視聴することが可能である。さらに、電子番組表の情報を使用しなくても簡単に続きの番組を再生可能である。また、本実施の形態の方法を、ＥＰＧに基づく関連付けと合わせて行うことで、より精度良く番組合成を行うようにすることも可能である。
【産業上の利用可能性】
【００２０】
本発明は、記録再生装置に適用可能である
【図面の簡単な説明】
【００２１】
【図１】本発明の一実施の形態による記録再生装置の一構成例を示す機能ブロック図である。
【図２】本実施の形態による記録再生装置に録画予約された番組に関する情報であって、予約情報保存部に格納される情報例を示す予約情報テーブルである。
【図３】第１の合成処理の原理を示す図である。
【図４】第２の合成処理の原理を示す図である。
【図５】図４の重複部分の削除に関する詳細を示す図である。
【図６】本実施の形態による記録再生装置における処理の流れを整理して示すフローチャート図である。
【符号の説明】
【００２２】
Ａ…記録再生装置、１００…テレビ受信機、１０１…インターフェイス部、１０２…番組情報ＤＢ、１０３…番組情報検索部、１０４…ＧＵＩ生成部、１０５…視聴番組検出部、１０６…番組保存領域、１０７…未視聴番組提供部、１０８…視聴状況管理部、１０９…関連番組記憶部、１１０…タイマ、１１１…入力部、１１２…合成部、１１３…出力部、１１４…モニタ。
【図１】
2007312174.tif 000003
【図２】
2007312174.tif 000004
【図３】
2007312174.tif 000005
【図４】
2007312174.tif 000006
【図５】
2007312174.tif 000007
【図６】
2007312174.tif 000008